(57)【特許請求の範囲】
【請求項１】
物体側から像側へ順に、正の屈折力の第１レンズ群、絞り、第２レンズ群から構成され、前記第１レンズ群は正の屈折力の第１aレンズ群と、フォーカスの際に光軸上を移動する負の屈折力の第１bレンズ群を有し、前記第１bレンズ群は少なくとも１枚の負レンズと正レンズ1bpとを有し、前記正レンズ1bpの材料の部分分散比をθgF1、アッベ数をνd1、前記光学系の最も物体側のレンズG1の焦点距離をｆG1、前記レンズG1と前記レンズG1に隣接するレンズの空気間隔をｄ2とするとき、
0.020＜θgF1−0.6438+0.001682×νd1＜0.100
5＜fG1/d2＜20
なる条件を満足することを特徴とする光学系。
【請求項２】
前記正レンズ1bpの材料のアッベ数νd1は、
νd1＜23
なる条件を満足することを特徴とする請求項１に記載の光学系。
【請求項３】
前記第１aレンズ群は少なくとも１つの正レンズ1apを有し、前記正レンズ1apの材料の部分分散比をθgF2、アッベ数をνd2とするとき、
νｄ2＞70
0.020＜θgF2−0.6438+0.001682×νd2
なる条件を満足することを特徴とする請求項１又は２に記載の光学系。
【請求項４】
前記第１bレンズ群はニオブまたはランタンを主原料とする少なくとも１つの負レンズを含むことを特徴とする請求項１乃至３のいずれか１項に記載の光学系。
【請求項５】
前記第１レンズ群に含まれる負レンズのうちの最も物体側の負レンズ1nの材料の標準気圧における常温での単位体積あたりの質量と、標準気圧における4℃の純水の単位体積あたりの質量との比をSGn1とするとき、
2.40＜SGn1＜4.75
なる条件を満足することを特徴とする請求項１乃至４のいずれか１項に記載の光学系。
【請求項６】
前記負レンズ1nの材料の部分分散比をθgF3、アッベ数をνd3とするとき、
θgF3−0.6438+0.001682×νd3＜0
なる条件を満足することを特徴とする請求項５に記載の光学系。
【請求項７】
請求項１乃至６のいずれか１項に記載の光学系を備えることを特徴とする光学機器。
【発明の詳細な説明】
【技術分野】
【０００１】
本発明は光学系及びそれを有する光学機器に関し、たとえば、銀塩カメラ・デジタルスチルカメラ・デジタルビデオカメラ等の光学機器に好適なものである。
【背景技術】
【０００２】
デジタルカメラやビデオカメラ等の撮像装置に用いられる光学系には、レンズ全長（光学全長、物体側の第１レンズ面から像面までの長さ）が短く、光学系全体が小型で、軽量化であることが求められている。特に、大口径の光学系はレンズ全長が長く、重量化になる傾向にあるので小型軽量化が強く求められている。一般に光学系の小型化または軽量化を図るほど諸収差、特に軸上色収差および倍率色収差などの色収差が多く発生し、光学性能が低下する傾向にある。特にレンズ全長の短縮化または軽量化を図ったテレフォトタイプの光学系（望遠レンズ）では、焦点距離を伸ばすほど（長くするほど）色収差が多く発生する。
【０００３】
光学系の色収差の発生を低減する方法として、光学材料に異常部分分散材料を用いる方法が一般的に良く知られている（特許文献１参照）。
【０００４】
テレフォトタイプの光学系では近軸軸上光線と瞳近軸光線の光軸からの通過位置が比較的高くなる前方レンズ群で色収差を補正している。具体的には蛍石等の異常部分分散を持った低分散の光学材料（アッベ数の大きな光学部材）で構成した正の屈折力のレンズと高分散の光学材料で構成した負の屈折力のレンズを用いて色収差を補正している。ここで近軸軸上光線とは、光学系全系の焦点距離を１に正規化し、光学系の光軸と平行に、光軸からの高さ１の光を入射させたときの近軸光線である。また、瞳近軸光線とは、光学系全系の焦点距離を１に正規化し、光軸軸に対して−４５°で入射する光線内、光学系の入射瞳と光軸との交点を通過する近軸光線である。
【先行技術文献】
【特許文献】
【０００５】
【特許文献１】特開平１１−１１９０９２号公報
【発明の概要】
【発明が解決しようとする課題】
【０００６】
例えば、特許文献１では蛍石等の異常部分分散を持った低分散の光学材料（アッベ数の大きな光学部材）を用いて色収差の低減を補正したテレフォトタイプの光学系が開示されている。光学材料として蛍石等を使ったテレフォトタイプの光学系では、レンズ全長を比較的長めに設定した場合、色収差の補正が容易である。しかしながら、レンズ全長の短縮化を図ると色収差が多く発生する。
【０００７】
この原因は、蛍石等の材料が持つ低分散と異常部分分散を利用して前玉レンズ系で発生する色収差を単に低減するに留まるためである。レンズ全長の短縮に伴って劣化した光学系の色収差を補正するには、たとえば、蛍石のようなアッベ数の大きい低分散ガラスを使ったレンズ系では、レンズの屈折力を大きく変化させる必要がある。このため、色収差と屈折力を大きくしたことによって発生する球面収差、コマ収差、非点収差などの諸収差の双方を良好に補正するのが困難となる。特許文献１では、色収差を始めとする諸収差を良好に補正するために前玉の径の大きいところに異常部分分散性の高い低分散な材料を用いている。
【０００８】
本発明は色収差を始めとする諸収差を良好に補正することができる、コンパクトで、かつ軽量化の光学系及びそれを有する光学機器の提供を目的とする。
【課題を解決するための手段】
【０００９】
本発明の光学系は、物体側から像側へ順に、正の屈折力の第１レンズ群、絞り、第２レンズ群から構成され、前記第１レンズ群は正の屈折力の第１aレンズ群と、フォーカスの際に光軸上を移動する負の屈折力の第１bレンズ群を有し、前記第１bレンズ群は少なくとも１枚の負レンズと正レンズ1bpとを有し、前記正レンズ1bpの材料の部分分散比をθgF1、アッベ数をνd1、前記光学系の最も物体側のレンズG1の焦点距離をｆG1、前記レンズG1と前記レンズG1に隣接するレンズの空気間隔をｄ2とするとき、
0.020＜θgF1−0.6438+0.001682×νd1＜0.100
5＜fG1/d2＜20
なる条件を満足することを特徴としている。
【発明の効果】
【００１０】
本発明によれば色収差を始めとする諸収差を良好に補正することができる、コンパクトで、かつ軽量化の光学系及びそれを有する光学機器を達成することができる。
【図面の簡単な説明】
【００１１】
【図１】本発明の数値実施例１の光学系のレンズ断面図
【図２】本発明の数値実施例１の無限遠にフォーカスを合わせたときの諸収差図
【図３】本発明の数値実施例２の光学系のレンズ断面図
【図４】本発明の数値実施例２の無限遠にフォーカスを合わせたときの諸収差図
【図５】本発明の数値実施例３の光学系のレンズ断面図
【図６】本発明の数値実施例３の無限遠にフォーカスを合わせたときの諸収差図
【図７】本発明の数値実施例４の光学系のレンズ断面図
【図８】本発明の数値実施例４の無限遠にフォーカスを合わせたときの諸収差図
【図９】本発明の数値実施例５の光学系のレンズ断面図
【図１０】本発明の数値実施例５の無限遠にフォーカスを合わせたときの諸収差図
【図１１】本発明の数値実施例６の光学系のレンズ断面図
【図１２】本発明の数値実施例６の無限遠にフォーカスを合わせたときの諸収差図
【図１３】本発明の光学機器（撮像装置）の要部概略図
【発明を実施するための形態】
【００１２】
以下に、本発明の光学系及びそれを有する光学機器について説明する。本発明の光学系は、物体側から像側へ順に正の屈折力の第１レンズ群L1、絞りSP、第２レンズ群L2から構成されている。さらに、後述する数値実施例１，２，３，５，６の第１レンズ群L1は正の屈折力の第１aレンズ群L1aとフォーカス用の負の屈折力の第１bレンズ群L1bから構成されている。また、後述する数値実施例４の第１レンズ群L1は正の屈折力の第１aレンズ群L1aとフォーカス用の負の屈折力の第１bレンズ群L1bと正の屈折力の第１ｃレンズ群L1cから構成されている。
【００１３】
各実施例の光学系は、デジタルカメラ・ビデオカメラ、銀塩フィルム用カメラ等の撮像装置や、望遠鏡、双眼鏡の観察装置、プロジェクター等の光学機器に用いられるものである。
【００１４】
一般に望遠レンズなどのテレフォトタイプの光学系では近軸軸上光線と瞳近軸光線の光軸からの通過位置が比較的高くなる前方レンズ群で色収差を補正している。具体的には蛍石等の異常部分分散を持った低分散の光学材料（アッベ数の大きな光学部材）で構成した正の屈折力のレンズと高分散の光学材料で構成した負の屈折力のレンズを用いて色収差を補正している。
【００１５】
本発明の光学系では、フォーカシングは絞りSPより物体側の負の屈折力のレンズ群（負レンズ群）L1bを光軸上に移動させて行っている。フォーカシングの際に色収差の変動を抑える為には、各レンズ群内で色収差の発生を抑える必要がある。一般的に一次の色収差を抑えるには、正の屈折力のレンズ群（正レンズ群）では正レンズに低分散な材料、負レンズに高分散な材料を使用し、逆に負レンズ群では負レンズに低分散な材料、正レンズに高分散な材料を使用するのが効果的である。また、二次の色収差を抑えるには異常部分分散性の高い硝材を使用すると効果的である。
【００１６】
前述した特許文献１では、前玉有効径の大きい正レンズに異常部分分散性の高い低分散な材料を用いて色収差を始めとする諸収差の改善を行っていた。本発明の光学系では絞りSPより物体側にある負レンズ群L1bの正レンズに異常部分分散性の高い高分散な材料を用いて、絞りSPより物体側にある正レンズ群L1aの異常分散性を有した正レンズの色収差補正分担を軽減している。それにより、軽量化またはコンパクトな光学系を達成している。
【００１７】
次に本発明の各実施例について説明する。図１は本発明の光学系の実施例１のレンズ断面図である。図２は実施例１の光学系において無限遠物体にフォーカスを合わせたときの諸収差図である。図３は本発明の光学系の実施例２のレンズ断面図である。図４は実施例２の光学系において無限遠物体にフォーカスを合わせたときの諸収差図である。図５は本発明の光学系の実施例３のレンズ断面図である。図６は実施例３の光学系において無限遠物体にフォーカスを合わせたときの諸収差図である。図７は本発明の光学系の実施例４のレンズ断面図である。図８は実施例４の光学系において無限遠物体にフォーカスを合わせたときの諸収差図である。図９は本発明の光学系の実施例５のレンズ断面図である。図１０は実施例５の光学系において無限遠物体にフォーカスを合わせたときの諸収差図である。図１１は本発明の光学系の実施例６のレンズ断面図である。図１２は実施例６の光学系において無限遠物体にフォーカスを合わせたときの諸収差図である。図１３は本発明の光学機器の要部概略図である。
【００１８】
各実施例の光学系は望遠タイプ（テレタイプ)より成っている。レンズ断面図において、左方が物体側（前方）で右方が像側（後方）である。OLは光学系、L1は正の屈折力の第１レンズ群（第１群）、SPは開放ナンバーの光束を規制するＦｎｏ絞り（開口絞り）である。L2は第２レンズ群（第２群）である。L1ａは正の屈折力の第１aレンズ群（第１a群）、L1bは負の屈折力の第１bレンズ群（第１ｂ群）、L1cは正の屈折力の第１ｃレンズ群（第１ｃ群）である。
【００１９】
ＩＰは像面であり、ビデオカメラやデジタルスチルカメラの撮影光学系として使用する際にはＣＣＤセンサやＣＭＯＳセンサ等の固体撮像素子（光電変換素子）の撮像面に、銀塩フィルム用カメラのときはフィルム面に相当する。各収差図において、ｄ、ｇは各々ｄ線及びｇ線、ｍ、ｓは各々メリジオナル像面、サジタル像面を表している。倍率色収差はｇ線で表わしている。
【００２０】
各実施例の光学系OLの特徴は次の通りである。各実施例において、負の屈折力の第１bレンズ群L1bは少なくとも１枚の負レンズと正レンズ1bpとを有している。正レンズ1bpの材料の部分分散比をθgF1、アッベ数をνd1とするとき、
0.020＜θgF1−0.6438+0.001682×νd1＜0.100          （１）
なる条件を満足している。
【００２１】
なお、本実施例の光学系に用いるレンズの材料の部分分散比とアッベ数は次の通りである。フラウンフォーファ線のｇ線(波長４３５．８ｎｍ）、Ｆ線(波長４８６．１ｎｍ）、ｄ線(波長５８７．６ｎｍ）、Ｃ線(波長６５６．３ｎｍ）に対する屈折率をそれぞれＮｇ、ＮＦ、Ｎｄ，ＮＣとする。アッベ数νｄ、ｇ線とＦ線に関する部分分散比θgFは次の通りである。
【００２２】
νd＝（Nd−１）／（NF−NC）
θgF＝（Ng−NF）／（NF−NC）
条件式（１）は第１ｂ群内の正レンズにg線（435.8nm）の異常分散性が正の方向に高い硝材を使用するという条件式である。望遠系のレンズ系では絞りより物体側に異常分散性が正の方向に高い硝材を用いることで、軸上色収差、倍率色収差の改善がなされる。また、第１a群L1ａでの色収差の分担が軽減されることで、第１群L1内の正レンズ1bpのパワーが緩くなり軽量化、コンパクト化につながる。条件式（１）の上限値を超えると色収差の補正が過剰になってしまう。また、下限値を超えると色収差補正の為の補正効果が減少する。更に好ましくは条件式（１）の数値範囲を次の如く設定するのが良い。
【００２３】
0.020＜θgF1−0.6438+0.001682×νd1＜0.040        （１ａ）
また、各実施例において、上記条件式(1)を満足する正レンズ1bpの材料のアッベ数νd1は、
νd1＜23      （２）
なる条件を満足するのが良い。
【００２４】
条件式（２）は第１ｂ群L1b内の正レンズ1bpにアッベ数の小さい高分散な材料を使用するのが良いという条件式である。第１ｂ群L1bは負のレンズ群であるので、レンズ群内の色消しを考えると正レンズ1bpは高分散な材料を使用した方がよい。条件式（２）の上限値を超えるとレンズ群内での色消しが難しく、フォーカシングの際に色収差の変動が大きくなってしまう。更に好ましくは条件式（２）の数値範囲を次の如く設定するのが良い。
【００２５】
18＜νd1＜23      （２ａ）
また、各実施例において、正の屈折力の第１aレンズ群L1ａは以下の条件式を満足する正レンズ1apを少なくとも１枚有するのが良い。
【００２６】
νｄ2＞70        （３）
0.020＜θgF2−0.6438+0.001682×νd2    （４）
但し、
正レンズ1apの材料の部分分散比をθgF2、アッベ数をνd2とする。
【００２７】
条件式（３）、（４）は各々第１a群L1ａ内の少なくとも１枚以上の正レンズに低分散かつ異常分散性の高い硝材を使用するという条件式である。第１a群L1ａは正レンズ群L1ａであるため、正レンズ1apに低分散かつ異常分散性の高い硝材を使用することで軸上色収差、倍率色収差を改善することができる。更に好ましくは、蛍石のような下記の条件式（３ａ）、（４ａ）を各々満たす硝材を使用すると色収差の改善能力が向上する。
【００２８】
νｄ2＞90    （３ａ）
0.040＜θgF2−0.6438+0.001682×νd2    （４ａ）
また、各実施例において負の屈折力の第１bレンズ群L1bはNb(ニオブ）またはLa(ランタン）を主原料とする少なくとも１つの負レンズを含むのが良い。
【００２９】
また、各実施例において、正の屈折力の第１レンズ群L1に含まれる負レンズのうち、最も物体側の負レンズ1nは以下の条件式を満足するのが良い。
【００３０】
2.40＜SGn1＜4.75 （５）
但し、最も物体側の負レンズ1nの材料の標準気圧（101.325kPa）における常温での単位体積あたりの質量と、標準気圧における４℃の純水の単位体積あたりの質量との比をSGn1とする。
【００３１】
条件式（５）は第１群L1内の最も物体側の負レンズ1nの材料の比重に関する条件式である。焦点距離が長くなるにつれて、光学系の重量に対して最も物体側に位置する負レンズ1nの重量の割合が増えてくる傾向にある。条件式（５）の上限値を超えると比重が重く軽量化が困難になる。更に好ましくは条件式（５）の数値範囲を次の如く設定するのが良い。
【００３２】
2.80＜SGn1＜4.50  （５ａ）
また、各実施例において、最も物体側に使用される負レンズ1nは以下の条件式を満足するのが良い。
【００３３】
θgF3−0.6438+0.001682×νd3＜0        （６）
但し、
負レンズ1nの材料の部分分散比をθgF3、アッベ数をνd3とする。
【００３４】
条件式（６）は第１群L1内の最も物体側の負レンズ1nにg線（435.8nm）の異常分散性が負の方向に高い硝材を使用するという条件式である。一般に、二次の色消しを考えるときは正レンズに用いる硝材と負レンズに用いる硝材のθgF差が大きいほど効果が大きくなる。更に好ましくは条件式（６）の数値範囲を次の如く設定するのが良い。
【００３５】
-0.015＜θgF3−0.6438+0.001682×νd3＜-0.002    （６ａ）
また、各実施例において、最も物体側のレンズG1の焦点距離をｆG1、該最も物体側のレンズG1から隣接する像側のレンズまでの空気間隔をｄ2とするとき、
5＜fG1/d2＜20              （７）
なる条件を満足するのが良い。
【００３６】
条件式（７）は最も物体側のレンズG1の焦点距離と最も物体側のレンズG1に隣接するレンズ（レンズG2と呼ぶ）までの空気間隔に関する条件式である。条件式（７）の上限値を超えると、レンズG2の有効径が大きくなり軽量化が困難になる。また、条件式（７）の下限値を超えるとレンズG2の諸収差（特に軸上色収差、球面収差）の補正能力が弱くなり性能劣化が起きる。更に好ましくは条件式（７）の数値範囲を次の如く設定するのが良い。
【００３７】
6＜  fG1/d2  ＜14            （７ａ）
次に各実施例の特徴について説明する。実施例１〜３、５、６において、光学系OLは、物体側から順に正の第１群L1、絞りSP、正の第２群L2から構成される。正の第１群L1は物体側から順に正の第1a群L1ａ、負の第1b群L1bより構成されている。また、実施例４において、光学系OLは、物体側から順に正の第１群L1、絞りSP、正の第２群L2から構成される。正の第１群L1は物体側から順に正の第1a群L1ａ、負の第1b群L1b、正の第1c群L1cより構成されている。
【００３８】
また、各実施例において、無限遠物体から近距離物体へのフォーカスは、負の屈折力の第１b群L1bを光軸上を像側に移動させて行っている。また、光学系が振動したときの撮影画像のブレの補正(振動補償）は、第２群L2内の少なくとも一部のレンズを光軸に対して垂直方向の成分を持つように移動させて行っている。これにより防振効果を得ている。
［実施例１］
図１に示す実施例１の光学系OLにおいて、第1a群L1ａは物体側から順に第１正レンズ、第２正レンズ、第３負レンズ、第４正レンズ、物体側に凸面を向けた第５レンズから構成される。第1b群L1bは物体側から順に第６正レンズと第７負レンズの張り合わせレンズから構成される。第２群L2は物体側から順に第８負レンズと第９正レンズの張り合わせレンズ、第１０正レンズと第１１負レンズの張り合わせレンズ、第１２負レンズ、第１３正レンズ、第１４正レンズと第１５負レンズの張り合わせレンズから構成される。
【００３９】
第６正レンズが正レンズ1bpに相当している。第２正レンズと第４正レンズが正レンズ1apに相当している。第３負レンズが負レンズ1nに相当している。
［実施例２］
図３に示す実施例２の光学系OLにおいて、第1a群L1ａと第1b群L1bは実施例１と同じである。第２群L2は物体側から順に第８正レンズと第９負レンズの張り合わせレンズ、第１０正レンズと第１１負レンズの張り合わせレンズ、第１２負レンズ、第１３正レンズ、第１４正レンズと第１５負レンズの張り合わせレンズから構成される。
［実施例３］
図５に示す実施例３の光学系OLにおいて、第1a群L1ａは実施例１と同じである。第1b群L1bは物体側から順に第６負レンズ、第７正レンズと第８負レンズの張り合わせレンズから構成される。第２群L2は実施例１と同じである。
［実施例４］
図７に示す実施例４の光学系OLにおいて、第1a群L1ａと第1b群L1bは、実施例１と同じである。第1c群L1cは第８正レンズから構成される。第２群L2は実施例１と同じである。
［実施例５］
図９に示す実施例５の光学系OLは、実施例１と同じである。
［実施例６］
図１１に示す実施例６の光学系OLは、実施例１と同じである。
［数値実施例］
以下、実施例１〜６に対応する数値実施例１〜６について具体的な数値データを示す。各数値実施例において、ｉは物体側から数えた順序を示す。ｒｉは第ｉ番目の光学面の曲率半径、ｄｉは第ｉ面と第（ｉ＋１）面との間の軸上間隔、ｎｄｉとνｄｉはそれぞれｄ線に対する第ｉ番目と第（ｉ＋１）面との間の媒質の屈折率、アッべ数を示す。ＢＦはバックフォーカスである。各数値実施例において最終の２つの光学面はフェースプレートやフィルター等のガラスブロックである。また前述の各条件式(5)、(7)と各数値実施例における諸数値との関係を表１に示す。
また数値実施例１〜６について第１群Ｌ１の第１ａレンズ群Ｌ１ａと第１ｂレンズ群Ｌ１ｂを構成する各レンズに対する条件式（１）に係る正レンズ１ｂｐの材料の部分分散比θｇＦ１、条件式（４）に係る正レンズ１ａｐの材料の部分分散比θｇＦ２、条件式（６）に係る負レンズ１ｎの材料の部分分散比θｇＦ３との関係、及びそれらの材料名（商品名）との関係を（表２）に示す。
【００４０】
数値実施例１
単位  mm
面データ
i         ri        di       ndi      νdi
1        251.287   16.40   1.48749    70.4           
2       -569.439   47.74                             
3        134.398   21.28   1.43387    95.1           
4       -239.479    0.24                             
5       -237.555    4.00   1.61340    44.3           
6        178.770   17.18                             
7         76.688   14.20   1.43387    95.1           
8        318.525    1.03                             
9         60.263    6.00   1.51633    64.1           
10         47.352   22.04                               
11      -1630.821    4.00   1.92286    18.9           
12       -301.810    3.20   1.65412    39.7           
13        149.471   45.57                               
14(絞り)    ∞       8.36                             
15        327.772    2.18   1.72047    34.7           
16         40.638   10.87   1.72916    54.7           
17       -927.465   10.02                            
18        103.249    5.93   1.84666    23.8           
19       -133.810    1.71   1.71300    53.9           
20         45.777    5.62                             
21       -155.221    1.67   1.88300    40.8           
22        121.068    6.32                               
23        137.098    3.35   1.74950    35.3           
24       -256.865    5.53                             
25         85.030    7.34   1.65412    39.7           
26       -133.787    2.00   1.92286    18.9           
27      -3193.452   21.53                             
28          ∞       2.20   1.51633    64.1           
29          ∞
各種データ
焦点距離     390.06  
Fナンバー      2.90  
画角           3.17  
像高          21.64  
レンズ全長   365.05  
BF            67.53  
【００４１】
数値実施例２
単位  mm
面データ
i         ri        di       ndi      νdi
1       270.270    14.50   1.48749    70.4           
2       -835.232   31.14                             
3        138.907   20.35   1.43387    95.1           
4       -523.327    0.19                             
5       -499.366    4.30   1.72047    34.7           
6        310.896   27.04                             
7         96.687   14.92   1.43387    95.1           
8        664.543    0.24                             
9         63.598    6.00   1.51633    64.1           
10         51.493   24.99                            
11        461.177    5.35   1.80809    22.8           
12       -178.181    3.20   1.83400    37.2           
13        117.578   73.69                              
14(絞り)    ∞      10.03                             
15        285.718    7.19   1.72916    54.7           
16        -69.727    2.18   1.84666    23.8           
17       -247.741    0.84                             
18         81.104    5.31   1.84666    23.8           
19       -151.144    2.00   1.69680    55.5           
20         41.763    5.33                             
21       -163.217    1.70   1.88300    40.8           
22         95.192    2.18                            
23         93.284    5.74   1.83400    37.2           
24       -356.898    8.32                             
25         63.599    9.04   1.74950    35.3           
26        -95.263    1.87   1.80809    22.8           
27        101.811   11.05                             
28          ∞       2.20   1.48749    70.2           
29          ∞
各種データ
焦点距離     390.09  
Fナンバー      2.90  
画角           3.17  
像高          21.64  
レンズ全長   367.66  
BF            66.79  
【００４２】
数値実施例３
単位  mm
面データ
i         ri        di       ndi      νdi
1       231.110    17.35   1.48749    70.4           
2       -558.109   51.15                             
3        131.640   20.12   1.43387    95.1           
4       -260.094    0.22                             
5       -254.979    4.00   1.65412    39.7           
6        226.567   20.15                             
7         69.726   14.20   1.43387    95.1           
8        210.857    1.03                             
9         65.119    6.00   1.51633    64.1           
10         46.496   20.21                           
11      -2436.427    2.00   1.84480    24.9           
12        177.579    2.59                             
13       1091.298    4.00   1.92286    18.9           
14       -207.015    2.00   1.65412    39.7           
15        393.677   43.82                              
16(絞り)    ∞      10.26                             
17        325.034    2.18   1.74950    35.3           
18         47.631    7.74   1.72916    54.7           
19       -282.501    5.87                               
20         88.239    5.26   1.84666    23.8           
21       -142.510    1.71   1.71300    53.9           
22         46.340    5.01                             
23       -193.013    1.67   1.88300    40.8           
24         85.178    7.35                              
25        105.584    5.03   1.74950    35.3           
26       -315.066    4.43                             
27         73.759    6.73   1.65412    39.7           
28       -153.022    2.00   1.92286    18.9           
29        351.555   18.75                             
30          ∞       2.20   1.51633    64.1           
31          ∞
各種データ
焦点距離     390.06  
Fナンバー      2.90  
画角           3.17  
像高          21.64  
レンズ全長   362.40  
BF            67.37  
【００４３】
数値実施例４
単位  mm
面データ
i         ri        di       ndi      νdi
1       240.969    15.82   1.48749    70.4           
2       -761.554   58.13                             
3        115.449   21.98   1.43387    95.1           
4       -252.399    0.55                             
5       -253.747    4.00   1.65412    39.7           
6        173.095   -0.44                             
7         91.251   14.20   1.56907    71.3           
8        370.432    1.03                             
9         65.936    6.00   1.51633    64.1           
10         50.274   21.94                               
11      -1327.464    4.00   1.92286    18.9           
12       -214.560    3.20   1.72047    34.7           
13        140.534   38.82                            
14        385.507    4.17   1.49700    81.5           
15       1109.317    5.88                             
16(絞り)    ∞      13.99                             
17        346.997    2.18   1.74950    35.3           
18         41.228    7.87   1.72916    54.7           
19       -493.145    7.58                              
20         89.175    5.17   1.84666    23.8           
21       -178.339    1.69   1.71300    53.9           
22         43.931    5.80                             
23       -149.151    1.67   1.88300    40.8           
24        115.045    7.31                               
25        115.843    5.14   1.74950    35.3           
26       -433.314    5.92                             
27         89.966    7.89   1.65412    39.7           
28       -144.994    2.00   1.92286    18.9           
29      -2212.083   20.71                             
30          ∞       2.20   1.51633    64.1           
31          ∞
各種データ
焦点距離     390.06  
Fナンバー      2.90  
画角           3.17  
像高          21.64  
レンズ全長   363.47  
BF            67.09  
【００４４】
数値実施例５
単位  mm
面データ
i         ri        di       ndi      νdi
1       285.181    10.70   1.48749    70.2           
2       -365.280   45.00                             
3         77.200   19.00   1.43387    95.1           
4       -201.628    0.12                             
5       -211.919    3.10   1.65412    39.7           
6        185.490    0.74                             
7         68.270    9.50   1.43387    95.1           
8        241.309    4.51                             
9         49.323    5.00   1.51633    64.1           
10         36.974   18.45                               
11       -366.928    4.05   1.92286    18.9           
12        -98.774    2.40   1.74950    35.3           
13        101.913   29.58                              
14(絞り)    ∞       5.56                             
15        153.525    1.33   1.84666    23.8           
16         52.297    5.67   1.65160    58.5           
17       -178.690   10.22                               
18         80.489    3.59   1.84666    23.8           
19       -117.581    1.80   1.72916    54.7           
20         38.409    5.45                             
21       -114.990    1.70   1.83400    37.2           
22        105.792    4.62  
23         83.144    3.75   1.80518    25.4           
24       -362.882    3.23                             
25        118.635    5.83   1.74950    35.3           
26        -68.316    1.61   1.92286    18.9           
27       -658.596    6.39                             
28          ∞       2.00   1.51633    64.1           
29          ∞
各種データ
焦点距離     294.99  
Fナンバー      2.90  
画角           4.19  
像高          21.64  
レンズ全長   274.25  
BF            59.36  
【００４５】
数値実施例６
単位  mm
面データ
i         ri        di       ndi      νdi
1       286.629    16.20   1.48749    70.2           
2       -880.980   65.94                             
3        161.292   15.80   1.43387    95.1           
4       -824.201    1.11                             
5       -528.597    4.00   1.74950    35.3           
6        235.619   59.99                             
7        100.762   13.80   1.43387    95.1           
8       2169.151    0.91                             
9         72.216    6.00   1.51633    64.1           
10         58.679   64.97                              
11        684.025    3.00   1.92286    18.9           
12       -443.346    2.70   1.74950    35.3           
13        127.036   41.45                              
14(絞り)    ∞       4.40                             
15        130.503    3.76   1.80610    33.3           
16         75.938    6.53   1.60311    60.6           
17       -599.947    2.52                               
18         70.907    4.88   1.84666    23.8           
19       -121.453    2.68   1.72916    54.7           
20         44.211    3.54                             
21       -102.891    1.50   1.80400    46.6           
22        105.801    1.98                               
23         71.196    2.88   1.78472    25.7           
24        413.138   28.03                             
25        247.878    5.79   1.74950    35.3           
26        -39.660    1.80   1.92286    18.9           
27       -257.888   26.16                             
28          ∞       2.63   1.51633    64.1           
29          ∞
各種データ
焦点距離     585.79  
Fナンバー      4.12  
画角           2.12  
像高          21.64  
レンズ全長   471.39  
BF            76.44  
【００４６】
【表１】
0005517546.tif 000002
（表２）
0005517546.tif 000003
0005517546.tif 000004
次に、本発明の光学系OLを用いた一眼レフカメラシステムの実施例を図１３を用いて説明する。
【００４７】
図１３において、１０は一眼レフカメラ本体、１１は本発明による光学系を搭載した交換レンズである。１２は交換レンズ１１を通して得られる被写体像を記録するフィルムや撮像素子等の記録手段、１３は交換レンズ１１からの被写体像を観察するファインダー光学系である。１４は交換レンズ１１からの被写体像を受光する記録手段１２とファインダー光学系１３に切替えて伝送するための回動するクイックリターンミラーである。ファインダーで被写体像を観察する場合は、クイックリターンミラー１４を介してピント板１５に結像した被写体像をペンタプリズム１６で正立像としたのち、接眼光学系１７で拡大して観察する。撮影時にはクイックリターンミラー１４が矢印方向に回動して被写体像は記録手段１２に結像して記録される。１８はサブミラー、１９は焦点検出装置である。
【００４８】
このように本発明の撮影光学系を一眼レフカメラ交換レンズ等の撮像装置に適用することにより、高い光学性能を有した撮像装置が実現できる。尚、本発明はクイックリターンミラーのないＳＬＲ（Single Lens Reflex）カメラにも同様に適用することができる。
【００４９】
以上、本発明の好ましい実施例について説明したが、本発明はこれらの実施例に限定されず、その要旨の範囲内で種々の変形及び変更が可能である。
【符号の説明】
【００５０】
L1  第1レンズ群、L2  第２レンズ群、L1a  第1aレンズ群、L1b  第1bレンズ群、L1c  第1cレンズ群、SP  絞り、d  d線、g  g線、s  サジタル像面、m  メリディオナル像面
【図１】
0005517546.tif 000005
【図２】
0005517546.tif 000006
【図３】
0005517546.tif 000007
【図４】
0005517546.tif 000008
【図５】
0005517546.tif 000009
【図６】
0005517546.tif 000010
【図７】
0005517546.tif 000011
【図８】
0005517546.tif 000012
【図９】
0005517546.tif 000013
【図１０】
0005517546.tif 000014
【図１１】
0005517546.tif 000015
【図１２】
0005517546.tif 000016
【図１３】
0005517546.tif 000017